(57)【特許請求の範囲】
【請求項１】
新聞紙面に掲載する少なくとも記事、画像、写真からなる複数の素材が、各紙面に割り当てられてなる紙面データを格納する紙面データ記憶装置と、前記素材の新聞紙面上のレイアウト編集を行うための操作入力を受け付ける組版端末と、前記組版端末からの操作入力に基づいて前記割り当てられた素材を各紙面上に配置して、前記紙面データの編集作業を行い、編集が完了した紙面データを前記紙面データ記憶装置に格納する組版編集サーバとを備えた新聞紙面制作システムであって、
前記組版端末は、
前記組版編集サーバによって素材が配置された複数の紙面データを比較し、互いに同一の素材が配置された配置場所と、互いに異なる素材が配置された配置場所とを検出する配置場所検出手段と、
前記配置場所検出手段によって検出された互いに同一の素材が配置された配置場所と、互いに異なる素材が配置された配置場所とを、前記互いに異なる素材が配置された配置場所のみを太枠で囲み、かつ、前記太枠で囲まれた領域内に、前記互いに異なる各素材の種別を表示することによって識別可能なように表示する配置場所識別表示手段と
を備えた新聞紙面の制作システム。
【請求項２】
新聞紙面に掲載する少なくとも記事、画像、写真からなる複数の素材が、各紙面に割り当てられてなる紙面データを格納する紙面データ記憶装置と、前記素材の新聞紙面上のレイアウト編集を行うための操作入力を受け付ける組版端末と、前記組版端末からの操作入力に基づいて前記割り当てられた素材を各紙面上に配置して、前記紙面データの編集作業を行い、編集が完了した紙面データを前記紙面データ記憶装置に格納する組版編集サーバとを備えた新聞紙面制作システムに適用される素材差異検出方法であって、
前記組版端末が、
前記組版編集サーバによって素材が配置された複数の紙面データを比較し、互いに同一の素材が配置された配置場所と、互いに異なる素材が配置された配置場所とを検出し、
前記検出された互いに同一の素材が配置された配置場所と、互いに異なる素材が配置された配置場所とを、前記互いに異なる素材が配置された配置場所のみを太枠で囲み、かつ、前記太枠で囲まれた領域内に、前記互いに異なる各素材の種別を表示することによって識別可能なように表示する素材差異検出方法。
【請求項３】
新聞紙面に掲載する少なくとも記事、画像、写真からなる複数の素材が、各紙面に割り当てられてなる紙面データを格納する紙面データ記憶装置と、前記素材の新聞紙面上のレイアウト編集を行うための操作入力を受け付ける組版端末と、前記組版端末からの操作入力に基づいて前記割り当てられた素材を各紙面上に配置して、前記紙面データの編集作業を行い、編集が完了した紙面データを前記紙面データ記憶装置に格納する組版編集サーバとを備えた新聞紙面制作システムに適用される、コンピュータ読取可能な素材差異検出プログラムであって、
前記組版編集サーバによって素材が配置された複数の紙面データを比較し、互いに同一の素材が配置された配置場所と、互いに異なる素材が配置された配置場所とを検出する機能、
前記検出された互いに同一の素材が配置された配置場所と、互いに異なる素材が配置された配置場所とを、前記互いに異なる素材が配置された配置場所のみを太枠で囲み、かつ、前記太枠で囲まれた領域内に、前記互いに異なる各素材の種別を表示する機能
をコンピュータに実現させるための素材差異検出プログラム。
【発明の詳細な説明】
【０００１】
【発明の属する技術分野】
本発明は、主に新聞社や印刷会社において使用される新聞紙面の制作システム、複数の紙面を比較し同一配置場所に配置された素材の差異を検出する素材差異検出方法、ならびに素材差異検出プログラムに関する。
【０００２】
【従来の技術】
一般に、中央に本社を持つ新聞では、全国紙のような共通紙の一部に、地方の読者のために特に設けたその地方独特の記事を掲載する紙面である地方紙を設けて新聞を発行している。
【０００３】
このような地方紙は、各地方向けに例えば地方紙Ａ、地方紙Ｂ、地方紙Ｃなど個別に作成されている。各地方紙の紙面は、どの地方紙の紙面にも共通して掲載される素材と、その地方だけにしか掲載されない固有の素材とで構成されている。したがって、まずどの地方紙にも共通して掲載される素材だけをレイアウトした紙面を作成し、その紙面を地方紙Ａ、地方紙Ｂ、地方紙Ｃなどにコピーし、それぞれの地方紙固有の素材を追加レイアウトして紙面の作成がなされている。
【０００４】
【発明が解決しようとする課題】
しかしながら、このような従来の新聞紙面を制作する場合には、以下のような問題がある。
【０００５】
（１）例えば、地方紙に共通した素材で、重要度の高い素材が割り込んだ場合には、時間的制約からそれぞれの地方紙の紙面の再レイアウトを行わねばならない場合がある。
【０００６】
（２）或る地方紙に固有の素材で重要度の高い素材が割り込んだ場合には、紙面スペースの制約から地方紙共通の素材の記事内容の一部を削除し、スペースの割り当てを行わなければならない場合がある。
【０００７】
上述したような場合、上記（１）では、全ての地方紙の紙面に重要度の高い素材が反映されたかを確認する必要がある。また、上記（２）では、地方紙全体としてのレイアウトのバランスを確認する必要がある。
【０００８】
しかしながら、このような確認作業は、紙面の刷り出力を行って目視による比較確認が必要となる。更に、この目視による比較確認の対象となる紙面数は、数枚から十数枚にも及ぶ場合があり、オペレータの負荷が極めて高いという問題がある。
【０００９】
本発明はこのような事情に鑑みてなされたものであり、複数の紙面を比較し、同一配置場所に配置された素材の差異を検出し、その差異を識別することが可能なように画面上から表示することによって、比較確認を容易にし、オペレータの負担を軽減することが可能な新聞紙面の制作システムおよび素材差異検出方法、ならびに素材差異検出プログラムを提供することを目的とする。
【００１０】
【課題を解決するための手段】
上記の目的を達成するために、本発明では、以下のような手段を講じる。
【００１１】
すなわち、本発明の請求項１に係る発明は、新聞紙面に掲載する少なくとも記事、画像、写真からなる複数の素材が、各紙面に割り当てられてなる紙面データを格納する紙面データ記憶装置と、素材の新聞紙面上のレイアウト編集を行うための操作入力を受け付ける組版端末と、組版端末からの操作入力に基づいて前記割り当てられた素材を各紙面上に配置して、紙面データの編集作業を行い、編集が完了した紙面データを前記紙面データ記憶装置に格納する組版編集サーバとを備えた新聞紙面制作システムである。
そして、組版端末は、組版編集サーバによって素材が配置された複数の紙面データを比較し、互いに同一の素材が配置された配置場所と、互いに異なる素材が配置された配置場所とを検出する配置場所検出手段と、配置場所検出手段によって検出された互いに同一の素材が配置された配置場所と、互いに異なる素材が配置された配置場所とを、互いに異なる素材が配置された配置場所のみを太枠で囲み、かつ、太枠で囲まれた領域内に、互いに異なる各素材の種別を表示することによって識別可能なように表示する配置場所識別表示手段とを備える。
【００１２】
また、本発明の請求項２に係る発明は、新聞紙面に掲載する少なくとも記事、画像、写真からなる複数の素材が、各紙面に割り当てられてなる紙面データを格納する紙面データ記憶装置と、素材の新聞紙面上のレイアウト編集を行うための操作入力を受け付ける組版端末と、組版端末からの操作入力に基づいて前記割り当てられた素材を各紙面上に配置して、紙面データの編集作業を行い、編集が完了した紙面データを紙面データ記憶装置に格納する組版編集サーバとを備えた新聞紙面制作システムに適用される素材差異検出方法である。
そして、組版端末は、組版編集サーバによって素材が配置された複数の紙面データを比較し、互いに同一の素材が配置された配置場所と、互いに異なる素材が配置された配置場所とを検出し、検出された互いに同一の素材が配置された配置場所と、互いに異なる素材が配置された配置場所とを、互いに異なる素材が配置された配置場所のみを太枠で囲み、かつ、太枠で囲まれた領域内に、互いに異なる各素材の種別を表示することによって識別可能なように表示する。
更に、本発明の請求項３に係る発明は、請求項１に係る発明の新聞紙面制作システムに適用される、コンピュータ読取可能な素材差異検出プログラムである。
【００１３】
従って、本発明においては、以上のような手段を講じることにより、複数の紙面を対象として、同一配置場所に配置された素材の差異を検出することができ、オペレータの負担を低減することが可能となる。
【００１４】
【発明の実施の形態】
以下に、本発明の実施の形態について図面を参照しながら説明する。
【００１５】
本発明の実施の形態を図１から図５７を用いて説明する。
【００１６】
図１は、本発明の実施の形態に係る新聞紙面の素材差異検出方法を適用した新聞紙面制作システムの構成例を示す機能ブロック図である。
【００１７】
すなわち、本発明の実施の形態に係る新聞紙面の素材差異検出方法を適用した新聞紙面制作システムは、例えば磁気ディスク等の記憶媒体に記憶された素材差異検出プログラムを読み込み、この素材差異検出プログラムによって動作が制御されるコンピュータによって実現されるものであって、記事入力／校正端末１と、記事サーバ２と、画像入力／加工端末３と、画像サーバ４と、組版端末５と、組版編集サーバ６と、紙面データ格納部７と、出力サーバ８と、プリンタ／プロッタ９とを備えている。
【００１８】
記事入力／校正端末１は、記事の入力および校正を行うための端末であり、オペレータから記事情報の入力を受け付け、記事サーバ２に出力する。また、記事サーバ２に蓄積されている記事情報を取得して、その記事情報に基づく校正入力をオペレータから受け付け、校正された記事情報を記事サーバ２に再び出力する。
【００１９】
記事サーバ２は、記事入力／校正端末１から入力された記事情報、または、図示しない通信回線を経由して通信社などから入力された記事情報を受信し、蓄積する。また、記事入力／校正端末１からの校正要求により、蓄積している記事情報の中から、要求のあった記事情報を記事入力／校正端末１に出力する。更に、オペレータの指示などに従って、蓄積している記事情報を組版編集サーバ６に出力する。
【００２０】
画像入力／加工端末３は、画像データの入力および画像データの加工を行うための端末であり、スキャナやディスプレイ等を備えている。このような画像入力／加工端末３は、オペレータから画像データの入力を受け付け、入力された画像データを画像サーバ４に出力する。また、オペレータから入力された画像データの加工操作入力に基づいて画像データの加工を行い、加工した画像データを画像サーバ４に出力する。なお、画像データを加工する場合には、画像入力／加工端末３に入力されている画像データを直接加工することも、また、画像サーバ４に蓄積されている画像データから所定の画像データを取得し、その画像データを加工することのいずれも可能としている。
【００２１】
画像サーバ４は、画像入力／加工端末３から出力された画像データを取得し、蓄積する。また、画像入力／加工端末３からの要求により、蓄積している画像データの中から、要求のあった画像データを画像入力／加工端末３に出力する。更に、オペレータの指示などに従って、蓄積している画像データを組版編集サーバ６に出力する。
【００２２】
組版端末５は、例えばワークステーションやパーソナルコンピュータで構成されており、操作入力部５１と、操作情報出力部５２と、紙面配置位置差異検出部５３と、紙面の配置領域データ５４と、配置領域配置位置差異データ５５とを備えている。なお、紙面の配置領域データ５４は、比較する紙面の数に対応して存在し、紙面Ｓ（１）から紙面Ｓ（ｎ）までを比較する場合には、ｎ個の配置領域データ５４（１）〜５４（ｎ）が存在する。
【００２３】
操作入力部５１は、オペレータから、記事、画像、および見出しのレイアウト編集を行うための操作入力を受け付け、入力された操作入力に基づいて操作情報を作成する。操作情報出力部５２は、操作入力部５１によって作成された操作情報を組版編集サーバ６に出力する。
【００２４】
紙面配置位置差異検出部５３は、比較対照とする紙面の紙面データ７１に基づいて、比較対照とする紙面において、互いに同一の素材が配置された配置場所と、互いに異なる素材が配置された配置場所とを検出する。そして、互いに同一の素材が配置された配置場所と、互いに異なる素材が配置された配置場所とを識別可能なように表示する。特に、比較対照とする紙面が２つの場合には、図２の概略フローチャートに示す通りに動作する。
【００２５】
すなわち、紙面配置位置差異検出部５３は、比較対照とする一方の紙面である紙面Ｓ（１）の紙面データ７１（１）に基づいて、紙面Ｓ（１）の配置領域データ５４（１）を作成する（Ｓ１）。なお、紙面データ７１および配置領域データ５４のデータ構成例については後述する。そして、比較対照とする他方の紙面である紙面Ｓ（２）の紙面データ７１（２）に基づいて、紙面Ｓ（２）の配置領域データ５４（２）を作成する（Ｓ２）。更に、ステップＳ１で作成された配置領域データ５４（１）と、ステップＳ２で作成された配置領域データ５４（２）とに基づいて、配置領域配置位置差異データ５５を作成し（Ｓ３）、配置領域配置位置差異データ５５に基づいて、互いに同一の素材が配置された配置場所と、互いに異なる素材が配置された配置場所とを識別可能なように表示する（Ｓ４）。
【００２６】
組版編集サーバ６は、操作情報出力部５２から出力された操作情報に基づいて紙面データ７１の編集作業を行い、編集が完了した紙面データ７１を紙面データ格納部７に格納したり、あるいは紙面データ格納部７に格納されている紙面データ７１を取り出し、この紙面データ７１を編集して、編集後に再び紙面データ格納部７に格納させる。
【００２７】
図３から図１１はこのような紙面データ７１（１）の一例を示すデータ構成図である。すなわち、紙面データ７１（１）は、図３に示すような管理情報と、図４から図１０に示すような各素材情報と、図１１に示すような実データとからなっている。
【００２８】
管理情報は、図３に示すように、掲載年月日７１ＫＮ（１）、面名７１ＭＮ（１）、版名７１ＨＮ（１）、印刷ページ番号７１ＰＧ（１）、体裁情報（組方向、段数、字詰、文字サイズ、段間、行間など）７１ＴＳ（１）、紙面Ｘ方向寸法７１ＰＸ（１）、紙面Ｙ方向寸法７１ＰＹ（１）の各データからなっている。
【００２９】
素材情報は、紙面への配置がなされている全ての素材毎に存在するものである。したがって、例えば、記事ａ、画像ｂ、記事ｃ、画像ｅ、記事ｆ、画像ｇ、記事ｈの各素材情報の配置がなされている紙面Ｓ（１）の場合には、図４から図１０に示すように、これら各素材毎に素材情報が存在する。このような素材情報のデータ構成は、＃１素材情報（記事ａ）を対象とした図４を例に説明すると、素材種別７１ＳＢ（１＃１）、素材ＩＤ番号７１ＩＤ（１＃１）、配置情報７１ＦＬ（１＃１）、配置位置座標７１ＬＸ（１＃１）、縦横寸法７１ＳＺ（１＃１）、仮見出し７１ＫＭ（１＃１）、記事ａのテキスト格納アドレス情報７１ＡＤ（１＃１）、記事ａのレイアウト済テキスト格納アドレス情報７１ＢＤ（１＃１）を持つ。その他の素材情報に関しても、図５から図１０に示すように、図４と同様のデータ構成をしている。
【００３０】
実データは、図１１に示すように、素材情報（＃ｎ）毎の記事のテキスト７１ＴＸ（１＃ｎ）、レイアウト済テキスト７１ＬＸ（１＃ｎ）、画像の表示画データ７１ＨＩ（１＃ｎ）、画像の実画像データ７１ＲＩ（１＃ｎ）からなっている。なお、図１２から図２０にそのデータ構成を示す紙面データ７１（２）もまた、図３から図１１に示す紙面データ７１（１）の一例と同様な構成をしている。
【００３１】
図２１から図２７は配置領域データ５４（１）の一例を示すデータ構成図である。すなわち、配置領域データ５４（１）は、図２１に示すような管理情報と、図２２から図２８に示すような各素材情報とからなっている。
【００３２】
管理情報は、図２１に示すように、掲載年月日５４ＫＮ（１）、面名５４ＭＮ（１）、版名５４ＨＮ（１）、印刷ページ番号５４ＰＧ（１）、体裁情報（組方向、段数、字詰、文字サイズ、段間、行間など）５４ＴＳ（１）、紙面Ｘ方向寸法５４ＰＸ（１）、紙面Ｙ方向寸法５４ＰＹ（１）の各データからなっている。このデータ構成は、図３および図１２に示す紙面データ７１の管理情報のデータ構成と同じである。
【００３３】
素材情報は、紙面への配置がなされている全ての素材毎に存在するものである。したがって、例えば、記事ａ、画像ｂ、記事ｃ、画像ｅ、記事ｆ、画像ｇ、記事ｈの各素材情報の配置が検討されている紙面Ｓ（１）の場合には、図２２から図２８に示すように、これら各素材毎に素材情報が存在する。このような素材情報のデータ構成は、＃１素材情報（記事ａ）を対象とした図２２を例に説明すると、素材種別５４ＳＢ（１＃１）、素材ＩＤ番号５４ＩＤ（１＃１）、配置領域数５４ＨＲ（１＃１）、配置領域対角線始点／終点座標ＸＹｐ（１＃１）を持つ。配置領域対角線始点／終点座標ＸＹｐ（１＃１）は、配置領域の数ｐに応じて存在する。
【００３４】
その他の素材情報に関しても、図２３から図２８に示すように、図２２と同様のデータ構成をしている。なお、図２９から図３６にそのデータ構成を示す配置領域データ５４（２）もまた、図２２から図２８に示す配置領域データ５４（１）の一例と同様な構成をしている。
【００３５】
図３７から図４８は配置領域配置位置差異データ５５の一例を示すデータ構成図である。
【００３６】
配置領域配置位置差異データ５５は、複数の配置領域データ５４を比較し、比較した各配置領域データ５４同士の同一配置領域に配置された素材が同一であるか否かを判定した判定結果データであって、管理情報と、配置領域毎の比較結果情報とからなっている。図３７から図４８に示す例は、図２１から図２８に示すような配置領域データ５４（１）を有する紙面Ｓ（１）と、図２９から図３６に示すような配置領域データ５４（２）を有する紙面Ｓ（２）とを比較した場合における結果の例を示すものである。
【００３７】
図３７に示す管理情報は、紙面Ｓ（１）の管理情報と、紙面Ｓ（２）の管理情報とからなり、紙面Ｓ（１）に関する掲載年月日５５ＫＮ（１）、面名５５ＭＮ（１）、版名５５ＨＮ（１）、紙面Ｘ方向寸法５５ＰＸ（１）、紙面Ｙ方向寸法５５ＰＹ（１）の各データと、紙面Ｓ（２）に関する掲載年月日５５ＫＮ（２）、面名５５ＭＮ（２）、版名５５ＨＮ（２）、紙面Ｘ方向寸法５５ＰＸ（２）、紙面Ｙ方向寸法５５ＰＹ（２）の各データとから構成している。
【００３８】
素材情報は、比較対照とする紙面の配置領域毎に、素材の差異の有無をまとめたデータである。例えば、比較元の紙面Ｓ（１）が図４９に示すようなレイアウトであった場合、「記事ａ１／３」、「記事ａ２／３」、「記事ａ３／３」、「画像ｂ」、「記事ｃ１／２」、「記事ｃ２／２」、「画像ｅ」、「記事ｆ１／２」、「記事ｆ２／２」、「画像ｇ」、「記事ｈ１／１」の１１の配置領域が存在することから、１１の配置領域（＃ｒ）毎に、比較対照とする紙面Ｓ（２）と、同一配置領域に素材が配置されているか否かを、「配置位置差異の有無５５ＫＢ（＃ｒ）」に示している。素材情報は、このほかにも配置領域対角線始点／終点座標５５ＸＹ（＃ｒ）、素材種別５５ＳＢ（＃ｒ）、素材ＩＤ番号５５ＩＤ（＃ｒ）、素材の通番５５ＳＲ（＃ｒ）の各データからなる。
【００３９】
紙面データ格納部７は、組版編集サーバ６から出力された紙面データ７１を格納する。また、格納している紙面データ７１を読み出すように組版編集サーバ６側から要求された場合には、紙面データ７１を読み出して組版編集サーバ６に出力する。
【００４０】
出力サーバ８は、組版端末５からの大刷／版下出力指示にしたがって、組版編集サーバ６から出力された紙面データ７１をドットデータに展開してプリンタ／プロッタ９に出力する。
【００４１】
プリンタ／プロッタ９は、出力サーバ８からドットデータを取得し、取得したドットデータに基づいて大刷や版下を出力する。
【００４２】
次に、以上のように構成した本発明の実施の形態に係る新聞紙面の素材差異検出方法を適用した新聞紙面制作システムの動作について説明する。
【００４３】
まず、図２に示すステップＳ１に相当する動作である紙面配置位置差異検出部５３によってなされる紙面Ｓ（１）の配置領域データ５４の作成動作の詳細を図５０から図５２に示すフローチャートを用いて説明する。
【００４４】
まず、オペレータが組版端末５の操作入力部５１から紙面名を入力すると、この入力された紙面名の紙面データ７１（１）が、紙面データ格納部７から紙面配置位置差異検出部５３に読み込まれる（Ｓ１０１）。このように、紙面データ７１（１）が読み込まれると、紙面配置位置差異検出部５３によって配置領域データ５４（１）が初期化される（Ｓ１０２）。更に、紙面データ７１（１）の管理情報が、配置領域データ５４（１）の管理情報に転記される（Ｓ１０３）。次に、紙面データ７１（１）の先頭の素材情報が対象とされて以下に示す処理がなされる（Ｓ１０４）。
【００４５】
まず、対象素材情報の配置情報７１ＦＬ（１＃ｎ）が「配置」の場合（Ｓ１０５：Ｙｅｓ）であって、更に、対象素材情報の素材種別７１ＳＢ（１＃ｎ）が「記事」である場合（Ｓ１０６：Ｙｅｓ）には、この素材情報内の取材種別７１ＳＢ（１＃ｎ）および素材ＩＤ番号７１ＩＤ（１＃ｎ）が配置領域データ５４（１）に転記される（Ｓ１０７）。
【００４６】
次に、紙面データ７１（１）の対象素材情報内の配置位置情報７１ＬＭ（１＃ｎ）、縦横寸法７１ＳＺ（１＃ｎ）に基づいて、配置領域数５４ＨＲ（１＃ｎ）、配置領域対角線始点／終点座標５４ＸＹｐ（１＃ｎ）が計算され、配置領域データ５４に書き込まれる（Ｓ１０８）。
【００４７】
そして、紙面データ７１（１）の全ての素材情報について処理がなされた場合（Ｓ１０９：Ｙｅｓ）には、配置領域データ５４（１）の作成処理を終了し、未処理の素材情報が存在する場合（Ｓ１０９：Ｎｏ）には、次の素材情報が対象とされて（Ｓ１１０）、ステップＳ１０５に戻る。
【００４８】
一方、ステップＳ１０６において、対象素材情報の素材種別７１ＳＢ（１＃ｎ）が「記事」ではなく（Ｓ１０６：Ｎｏ）、「画像」である場合（Ｓ１１１：Ｙｅｓ）には、この素材情報内の取材種別７１ＳＢ（１＃ｎ）および素材ＩＤ番号７１ＩＤ（１＃ｎ）が配置領域データ５４（１）に転記される（Ｓ１１２）。
【００４９】
そして、配置領域データ５４（１）の配置領域数５４ＨＲ（１＃ｎ）が「１」とされ、紙面データ７１（１）の対象素材情報内の配置位置情報７１ＬＭ（１＃ｎ）、縦横寸法７１ＳＺ（１＃ｎ）に基づいて、配置領域対角線始点／終点座標５４ＸＹ１（１＃ｎ）が計算され、配置領域データ５４に書き込まれ（Ｓ１１３）、ステップＳ１０９に戻る。また、対象素材情報の素材種別７１ＳＢ（１＃ｎ）が「画像」ではない場合（Ｓ１１１：Ｎｏ）、および対象素材情報の配置情報７１ＦＬ（１＃ｎ）が「配置」ではない場合（Ｓ１０５：Ｎｏ）にもステップＳ１０９に戻る。
【００５０】
以上のように、紙面配置位置差異検出部５３が動作することによって、紙面データ７１（１）に基づいて、配置領域データ５４（１）が作成される。図２に示すステップＳ２では、同様にして、紙面データ７１（２）に基づいて、対応する配置領域データ５４（２）が作成される。このようにして作成された配置領域データ５４（１）および配置領域データ５４（２）は組版端末５に保持される。
【００５１】
次に、図２に示すステップＳ３に相当する動作である紙面配置位置差異検出部５３によってなされる紙面Ｓ（１）と紙面Ｓ（２）とを比較して配置領域配置位置差異データ５５を作成する場合における動作の詳細を図５３から図５５に示すフローチャートを用いて説明する。
【００５２】
まず、オペレータが組版端末５の操作入力部５１から、比較対照とする紙面名である紙面Ｓ（１）と紙面Ｓ（２）を入力すると、入力された紙面に対応する配置領域データ５４（１）および配置領域データ５４（２）が、紙面配置位置差異検出部５３に読み込まれる（Ｓ２０１、Ｓ２０２）。このように、配置領域データ５４（１）および配置領域データ５４（２）が読み込まれると、紙面配置位置差異検出部５３によって配置領域配置位置差異データ５５が初期化される（Ｓ２０３）。
【００５３】
次に、配置領域データ５４（１）の管理情報と、配置領域データ５４（２）の管理情報とがそれぞれ、配置領域配置位置差異データ５５に転記される（Ｓ２０４、Ｓ２０５）。更に、配置領域データ５４（１）および配置領域データ５４（２）の先頭素材情報が対象とされて、以下に示すような処理がなされる（Ｓ２０６、Ｓ２０７）。
【００５４】
まず、配置領域データ５４（１）の対象素材情報の素材種別５４ＳＢ（１＃ｎ）、および素材ＩＤ番号５４ＩＤ（１＃ｎ）が配置領域配置位置差異データ５５に転記されるとともに、配置領域数５４ＨＲ（１＃ｎ）に基づいて通番５５ＳＲ（＃ｎ）が求められ、配置領域配置位置差異データ５５に書き込まれる（Ｓ２０８）。
【００５５】
次に、配置領域データ５４（１）の対象素材情報の配置領域対角線始点／終点座標５４ＸＹｐ（１＃ｎ）と、配置領域データ５４（２）の対象素材情報の配置領域対角線始点／終点座標５４ＸＹｐ（２＃ｎ）とが比較される（Ｓ２０９）。そして、配置領域対角線始点／終点座標５４ＸＹｐ（１＃ｎ）と、配置領域対角線始点／終点座標５４ＸＹｐ（２＃ｎ）とが完全に一致した場合（Ｓ２１０：Ｙｅｓ）には、配置領域配置位置差異データ５５の配置位置差異有無５５ＫＢ（ｎ）に「無し」と書き込まれ（Ｓ２１４）、後述するステップＳ２１２に移行する。
【００５６】
一方、配置領域対角線始点／終点座標５４ＸＹｐ（１＃ｎ）と、配置領域対角線始点／終点座標５４ＸＹｐ（２＃ｎ）とが完全には一致しないが（Ｓ２１０：Ｎｏ）、これら２つの配置領域が重なる場合（Ｓ２１１：Ｙｅｓ）には、配置領域配置位置差異データ５５の配置位置差異有無５５ＫＢ（ｎ）に「有り」と書き込まれ（Ｓ２１５）、更に、配置領域データ５４（２）の対象素材情報の素材種別５４ＳＢ（２＃ｎ）、および素材ＩＤ番号５４ＩＤ（２＃ｎ）が配置領域配置位置差異データ５５に転記されるとともに、配置領域数５４ＨＲ（２＃ｎ）に基づいて通番５５ＳＲ（＃ｎ）が求められ、配置領域配置位置差異データ５５に書き込まれ（Ｓ２１６）、後述するステップＳ２１２に移行する。
【００５７】
一方、ステップＳ２１１において、配置領域対角線始点／終点座標５４ＸＹｐ（１＃ｎ）と、配置領域対角線始点／終点座標５４ＸＹｐ（２＃ｎ）とが重ならない場合（Ｓ２１１：Ｎｏ）であって、かつ配置領域データ５４（２）の全ての素材情報に対して処理がなされた場合（Ｓ２１２：Ｙｅｓ）には、更に配置領域データ５４（１）の全ての素材情報に対して処理がなされたか否かが確認される（Ｓ２１７）。そして、配置領域データ５４（１）の全ての素材情報に対しても処理がなされている場合（Ｓ２１７：Ｙｅｓ）には、紙面配置位置差異検出部５３によってなされる配置領域配置位置差異データ５５の作成を終了する。
【００５８】
一方、ステップＳ２１７において、配置領域データ５４（１）の素材情報の中に未処理の素材情報がある場合（Ｓ２１７：Ｎｏ）には、配置領域データ５４（１）の次の素材情報が対象とされ（Ｓ２１８）、更に配置領域データ５４（２）の先頭の素材情報が対象とされ（Ｓ２１９）、ステップＳ２０８に戻る。
【００５９】
また、ステップＳ２１２において、配置領域データ５４（２）の中に未処理の素材情報がある場合（Ｓ２１２：Ｎｏ）には、配置領域データ５４（２）の次の素材情報が対象とされて（Ｓ２１３）、ステップＳ２０９に戻る。
【００６０】
以上のように、紙面配置位置差異検出部５３が動作することによって、配置領域データ５４（１）および配置領域データ５４（２）に基づいて配置領域配置位置差異データ５５が作成される。
【００６１】
図２に示すステップＳ４では、このようにして作成された配置領域配置位置差異データ５５に基づいて、紙面Ｓ（１）と紙面Ｓ（２）との差異状態が表示される。すなわち、紙面Ｓ（１）は、紙面データ７１（１）に基づいて、図４９に示すようなレイアウトが実現される。紙面Ｓ（２）もまた、紙面データ７１（２）に基づいて、図５６に示すようなレイアウトが実現される。上述したようにして紙面データ７１（１）および紙面データ７１（２）の差異の基づいて作成された配置領域配置位置差異データ５５からは、図５７に示すようなレイアウトが実現され、組版端末５から表示される。
【００６２】
すなわち、図５７に示す「記事ａ１／３」は、紙面Ｓ（１）および紙面Ｓ（２）ともに一致しており、図３８の第１配置領域の配置位置差異有無５５ＫＢ（＃１）が「無し」となっている。「記事ａ２／３」、「記事ａ３／３」、および「画像ｂ」ともに、図３９の第２配置領域の配置位置差異有無５５ＫＢ（＃２）、図４０の第３配置領域の配置位置差異有無５５ＫＢ（＃３）、図４１の第４配置領域の配置位置差異有無５５ＫＢ（＃４）が「無し」となっている。
【００６３】
一方、図４２に示す第５配置領域から、図４８に示す第１１配置領域までは、紙面Ｓ（１）および紙面Ｓ（２）が一致しておらず、配置位置差異有無５５ＫＢ（＃５）から配置位置差異有無５５ＫＢ（＃１１）までが「有り」となっている。したがって、図５７に示すように、対応する配置位置の外枠が太枠で表示され、更に該当する配置位置の枠内に、紙面Ｓ（２）において配置されている素材種別が＊（アスタリスク）付きで表示される。
【００６４】
例えば「記事ｃ１／２」に示すように、紙面Ｓ（１）の１つの配置位置に対して、記事Ｓ（２）の素材種別が複数配置されている場合には、図４２に示すように、配置領域配置位置差異データ５５には、「異なる素材１の素材ＩＤ５５ＳＢ１（＃５）」として「記事ｋ」が、「異なる素材２の素材ＩＤ５５ＳＢ２（＃５）」として「画像ｍ」がそれぞれ登録されており、これに基づいて図５７に示すレイアウトにも「＊記事ｋ」および「＊画像ｍ」がそれぞれ表示される。
【００６５】
なお、本発明の実施の形態に係る新聞紙面の素材差異検出方法を適用した新聞紙面制作システムは、記憶媒体に格納した素材差異検出プログラムをコンピュータに読み込ませることで実現させることができる。
【００６６】
ここで本発明における記憶媒体としては、磁気ディスク、フロッピーディスク（登録商標）、ハードディスク、光ディスク（ＣＤ−ＲＯＭ、ＤＶＤ等）、光磁気ディスク（ＭＯ等）、半導体メモリ等、プログラムを記憶でき、かつコンピュータが読み取り可能な記憶媒体であれば、その記憶形式は何れの形態であってもよい。
【００６７】
また、記憶媒体からコンピュータにインストールされたプログラムの指示に基づきコンピュータ上で稼働しているＯＳ（オペレーティングシステム）や、データベース管理ソフト、ネットワークソフト等のＭＷ（ミドルウェア）等が本発明の実施の形態を実現するための各処理の一部を実行してもよい。
【００６８】
さらに、本発明における記憶媒体は、コンピュータと独立した媒体に限らず、ＬＡＮやインターネット等により伝送された素材差異検出プログラムをダウンロードして記憶又は一時記憶した記憶媒体も含まれる。
【００６９】
また、記憶媒体は１つに限らず、複数の媒体から本発明の実施の形態における処理が実行される場合も本発明における記憶媒体に含まれ、媒体構成は何らの構成であってもよい。
【００７０】
なお、本発明におけるコンピュータは、記憶媒体に記憶された素材差異検出プログラムに基づき、本発明の実施の形態における各処理を実行するものであって、パソコン等の１つからなる装置、複数の装置がネットワーク接続されたシステム等の何れの構成であってもよい。
【００７１】
また、本発明におけるコンピュータとは、パソコンに限らず、情報処理機器に含まれる演算処理装置、マイコン等も含み、素材差異検出プログラムによって本発明の機能を実現することが可能な機器、装置を総称している。
【００７２】
上述したように、例えば紙面Ｓ（１）と紙面Ｓ（２）のように複数の紙面を比較し、同一配置場所に配置された素材の差異を検出し、その差異が識別可能なように画面上から表示することができる。
【００７３】
これによって、複数の地方紙に重要度の高い素材が漏れなく配置されていることや、各地方紙間の相違をオペレータが容易に把握することができるようになるので、オペレータの負担を軽減することが可能となる。
【００７４】
以上、本発明の好適な実施の形態について、添付図面を参照しながら説明したが、本発明はかかる構成に限定されない。特許請求の範囲の発明された技術的思想の範疇において、当業者であれば、各種の変更例及び修正例に想到し得るものであり、それら変更例及び修正例についても本発明の技術的範囲に属するものと了解される。
【００７５】
たとえば、上記実施の形態では、紙面配置位置差異検出部５３を組版端末５に備えるとともに、配置領域データ５４および配置領域配置位置差異データ５５をそれぞれ組版端末５が保持する場合を例に説明したが、本発明はこのような構成に限るものではなく、紙面配置位置差異検出部５３を組版編集サーバ６に備えるとともに、配置領域データ５４および配置領域配置位置差異データ５５をそれぞれ組版編集サーバ６が保持するようにしても良い。あるいは、紙面配置位置差異検出部５３を組版端末５に備えるとともに、配置領域データ５４および配置領域配置位置差異データ５５をそれぞれ組版編集サーバ６が保持するようにしても良い。また逆に、紙面配置位置差異検出部５３を組版編集サーバ６に備えるとともに、配置領域データ５４および配置領域配置位置差異データ５５をそれぞれ組版端末５が保持するようにしても良い。このような構成とすることによっても、上記実施の形態で説明したものと同等の効果を奏することができる。
【００７６】
【発明の効果】
以上説明したように、本発明によれば、複数の紙面を比較し、同一配置場所に配置された素材の差異を検出し、その差異を識別することが可能なように画面上から表示することができる。
【００７７】
以上により、複数紙面の比較確認が容易になり、もって、オペレータの負担を軽減することが可能な新聞紙面の制作システムおよび素材差異検出方法、ならびに素材差異検出プログラムを実現することができる。
【図面の簡単な説明】
【図１】本発明の実施の形態に係る新聞紙面の素材差異検出方法を適用した新聞紙面制作システムの構成例を示す機能ブロック図
【図２】紙面配置位置差異検出部の概略動作を示すフローチャート
【図３】紙面データＳ（１）に含まれる管理情報の一例を示すデータ構成図
【図４】紙面データＳ（１）に含まれる＃１素材情報（記事ａの場合）の一例を示すデータ構成図
【図５】紙面データＳ（１）に含まれる＃２素材情報（画像ｂの場合）の一例を示すデータ構成図
【図６】紙面データＳ（１）に含まれる＃３素材情報（記事ｃの場合）の一例を示すデータ構成図
【図７】紙面データＳ（１）に含まれる＃４素材情報（画像ｅの場合）の一例を示すデータ構成図
【図８】紙面データＳ（１）に含まれる＃５素材情報（記事ｆの場合）の一例を示すデータ構成図
【図９】紙面データＳ（１）に含まれる＃６素材情報（画像ｇの場合）の一例を示すデータ構成図
【図１０】紙面データＳ（１）に含まれる＃７素材情報（記事ｈの場合）の一例を示すデータ構成図
【図１１】紙面データＳ（１）に含まれる実データの一例を示すデータ構成図
【図１２】紙面データＳ（２）に含まれる管理情報の一例を示すデータ構成図
【図１３】紙面データＳ（２）に含まれる＃１素材情報（記事ａの場合）の一例を示すデータ構成図
【図１４】紙面データＳ（２）に含まれる＃２素材情報（画像ｂの場合）の一例を示すデータ構成図
【図１５】紙面データＳ（２）に含まれる＃３素材情報（記事ｉの場合）の一例を示すデータ構成図
【図１６】紙面データＳ（２）に含まれる＃４素材情報（画像ｊの場合）の一例を示すデータ構成図
【図１７】紙面データＳ（２）に含まれる＃５素材情報（記事ｋの場合）の一例を示すデータ構成図
【図１８】紙面データＳ（２）に含まれる＃６素材情報（画像ｍの場合）の一例を示すデータ構成図
【図１９】紙面データＳ（２）に含まれる＃７素材情報（記事ｎの場合）の一例を示すデータ構成図
【図２０】紙面データＳ（２）に含まれる実データの一例を示すデータ構成図
【図２１】配置領域データ５４（１）に含まれる管理情報の一例を示すデータ構成図
【図２２】配置領域データ５４（１）に含まれる＃１素材情報（記事ａの場合）の一例を示すデータ構成図
【図２３】配置領域データ５４（１）に含まれる＃２素材情報（画像ｂの場合）の一例を示すデータ構成図
【図２４】配置領域データ５４（１）に含まれる＃３素材情報（記事ｃの場合）の一例を示すデータ構成図
【図２５】配置領域データ５４（１）に含まれる＃４素材情報（画像ｅの場合）の一例を示すデータ構成図
【図２６】配置領域データ５４（１）に含まれる＃５素材情報（記事ｆの場合）の一例を示すデータ構成図
【図２７】配置領域データ５４（１）に含まれる＃６素材情報（画像ｇの場合）の一例を示すデータ構成図
【図２８】配置領域データ５４（１）に含まれる＃７素材情報（記事ｈの場合）の一例を示すデータ構成図
【図２９】配置領域データ５４（２）に含まれる管理情報の一例を示すデータ構成図
【図３０】配置領域データ５４（２）に含まれる＃１素材情報（記事ａの場合）の一例を示すデータ構成図
【図３１】配置領域データ５４（２）に含まれる＃２素材情報（画像ｂの場合）の一例を示すデータ構成図
【図３２】配置領域データ５４（２）に含まれる＃３素材情報（記事ｉの場合）の一例を示すデータ構成図
【図３３】配置領域データ５４（２）に含まれる＃４素材情報（画像ｊの場合）の一例を示すデータ構成図
【図３４】配置領域データ５４（２）に含まれる＃５素材情報（記事ｋの場合）の一例を示すデータ構成図
【図３５】配置領域データ５４（２）に含まれる＃６素材情報（画像ｍの場合）の一例を示すデータ構成図
【図３６】配置領域データ５４（２）に含まれる＃７素材情報（記事ｎの場合）の一例を示すデータ構成図
【図３７】配置領域配置位置差異データに含まれる管理情報の一例を示すデータ構成図
【図３８】配置領域配置位置差異データに含まれる＃１レコードの一例を示すデータ構成図
【図３９】配置領域配置位置差異データに含まれる＃２レコードの一例を示すデータ構成図
【図４０】配置領域配置位置差異データに含まれる＃３レコードの一例を示すデータ構成図
【図４１】配置領域配置位置差異データに含まれる＃４レコードの一例を示すデータ構成図
【図４２】配置領域配置位置差異データに含まれる＃５レコードの一例を示すデータ構成図
【図４３】配置領域配置位置差異データに含まれる＃６レコードの一例を示すデータ構成図
【図４４】配置領域配置位置差異データに含まれる＃７レコードの一例を示すデータ構成図
【図４５】配置領域配置位置差異データに含まれる＃８レコードの一例を示すデータ構成図
【図４６】配置領域配置位置差異データに含まれる＃９レコードの一例を示すデータ構成図
【図４７】配置領域配置位置差異データに含まれる＃１０レコードの一例を示すデータ構成図
【図４８】配置領域配置位置差異データに含まれる＃１１レコードの一例を示すデータ構成図
【図４９】紙面Ｓ（１）のレイアウトの一例を示す模式図
【図５０】紙面配置位置差異検出部による配置領域データの作成動作を示すフローチャート（その１）
【図５１】紙面配置位置差異検出部による配置領域データの作成動作を示すフローチャート（その２）
【図５２】紙面配置位置差異検出部による配置領域データの作成動作を示すフローチャート（その３）
【図５３】紙面配置位置差異検出部による配置領域配置位置差異データの作成動作を示すフローチャート（その１）
【図５４】紙面配置位置差異検出部による配置領域配置位置差異データの作成動作を示すフローチャート（その２）
【図５５】紙面配置位置差異検出部による配置領域配置位置差異データの作成動作を示すフローチャート（その３）
【図５６】紙面Ｓ（２）のレイアウトの一例を示す模式図
【図５７】配置領域配置位置差異データに基づいて作成された差異表示レイアウトの一例を示す模式図
【符号の説明】
１…記事入力／校正端末
２…記事サーバ
３…画像入力／加工端末
４…画像サーバ
５…組版端末
６…組版編集サーバ
７…紙面データ格納部
８…出力サーバ
９…プリンタ／プロッタ
５１…操作入力部
５２…操作情報出力部
５３…紙面配置位置差異検出部
５４…配置領域データ
５５…配置領域配置位置差異データ
７１…紙面データ
【図１】
0004216514.tif 000002
【図２】
0004216514.tif 000003
【図３】
0004216514.tif 000004
【図４】
0004216514.tif 000005
【図５】
0004216514.tif 000006
【図６】
0004216514.tif 000007
【図７】
0004216514.tif 000008
【図８】
0004216514.tif 000009
【図９】
0004216514.tif 000010
【図１０】
0004216514.tif 000011
【図１１】
0004216514.tif 000012
【図１２】
0004216514.tif 000013
【図１３】
0004216514.tif 000014
【図１４】
0004216514.tif 000015
【図１５】
0004216514.tif 000016
【図１６】
0004216514.tif 000017
【図１７】
0004216514.tif 000018
【図１８】
0004216514.tif 000019
【図１９】
0004216514.tif 000020
【図２０】
0004216514.tif 000021
【図２１】
0004216514.tif 000022
【図２２】
0004216514.tif 000023
【図２３】
0004216514.tif 000024
【図２４】
0004216514.tif 000025
【図２５】
0004216514.tif 000026
【図２６】
0004216514.tif 000027
【図２７】
0004216514.tif 000028
【図２８】
0004216514.tif 000029
【図２９】
0004216514.tif 000030
【図３０】
0004216514.tif 000031
【図３１】
0004216514.tif 000032
【図３２】
0004216514.tif 000033
【図３３】
0004216514.tif 000034
【図３４】
0004216514.tif 000035
【図３５】
0004216514.tif 000036
【図３６】
0004216514.tif 000037
【図３７】
0004216514.tif 000038
【図３８】
0004216514.tif 000039
【図３９】
0004216514.tif 000040
【図４０】
0004216514.tif 000041
【図４１】
0004216514.tif 000042
【図４２】
0004216514.tif 000043
【図４３】
0004216514.tif 000044
【図４４】
0004216514.tif 000045
【図４５】
0004216514.tif 000046
【図４６】
0004216514.tif 000047
【図４７】
0004216514.tif 000048
【図４８】
0004216514.tif 000049
【図４９】
0004216514.tif 000050
【図５０】
0004216514.tif 000051
【図５１】
0004216514.tif 000052
【図５２】
0004216514.tif 000053
【図５３】
0004216514.tif 000054
【図５４】
0004216514.tif 000055
【図５５】
0004216514.tif 000056
【図５６】
0004216514.tif 000057
【図５７】
0004216514.tif 000058